(57)【要約】【課題】配管およびパネル本体の熱が室内機の内部側に放熱するのを確実に断熱する。【解決手段】室内熱交換器２０を収容すると共に、表面に設けられた輻射パネル３０を備えた室内機１であって、輻射パネル３０は、パネル本体３１と、パネル本体３１の背面に設けられ、冷媒回路の一部を構成する配管３２と、パネル本体３１の背面側において配管３２から離れた状態で配管３２を覆うカバー部材３３とを有している。【選択図】図７
2012102893.tif 000002
【特許請求の範囲】
【請求項１】
室内熱交換器を収容すると共に、表面に設けられた輻射パネルを備えた室内機であって、
前記輻射パネルが、
パネル本体と、
前記パネル本体の背面に設けられ、冷媒回路の一部を構成する配管と、
前記パネル本体の背面側において前記配管から離れた状態で前記配管を覆うカバー部材とを有していることを特徴とする室内機。
【請求項２】
前記パネル本体と前記カバー部材とで囲まれる空間が密閉されないように構成されていることを特徴とする請求項１に記載の室内機。
【請求項３】
前記カバー部材が、その外周部と前記パネル本体との間に、前記空間に連通した隙間が形成された状態で前記パネル本体に固定されることを特徴とする特徴とする請求項２に記載の室内機。
【請求項４】
前記輻射パネルの上方に配置された外周部材の下端部が、前記パネル本体の背面に対向していると共に、前記隙間内に配置されていることを特徴とする請求項３に記載の室内機。
【請求項５】
前記カバー部材が、前記パネル本体の背面に向かって突出する固定面を有しており、
前記カバー部材は、前記固定面が前記パネル本体の背面に接触した状態で前記パネル本体に固定されることを特徴とする請求項１〜４のいずれか１項に記載の室内機。
【請求項６】
前記室内熱交換器を収容すると共に、前記パネル本体が表面に設けられたケーシングと、
前記ケーシングの下端部近傍に設けられた吸込口とを備え、
前記室内熱交換器の一部が、前記カバー部材の下端部と対向しており、
前記カバー部材の背面側の下端部には、前記吸込口から吸い込まれた空気を前記室内熱交換器に供給するための凹部が設けられていることを特徴とする請求項１〜５のいずれか１項に記載の室内機。
【発明の詳細な説明】
【技術分野】
【０００１】
本発明は、冷媒回路を構成する配管の一部を熱源とする輻射パネルを備えた室内機に関する。
【背景技術】
【０００２】
空気調和機の室内機として、室内熱交換器と輻射パネルとを備えたものが知られている（例えば特許文献１参照）。
室内熱交換器は、その内部を流れる冷媒と、室内ファンによって吸い込まれた室内空気との間で熱交換させるために設けられている。
輻射パネルは、室内機の表面に配置されるパネル本体と、パネル本体の背面に配置されるパネル配管と、パネル本体の背面側に配置され、パネル配管を被覆する断熱材とを有する。パネル配管を流れる冷媒の熱が、パネル本体を介して室内に輻射されることで輻射暖房が行われる。
また、断熱材は、パネル配管およびパネル本体の熱が、室内機の内部に放熱されるのを防止するために配置されている。
【先行技術文献】
【特許文献】
【０００３】
【特許文献１】特開昭６２−１７５５３８号公報
【発明の概要】
【発明が解決しようとする課題】
【０００４】
しかしながら、上記輻射パネルでは、断熱材にパネル配管を嵌め込んだだけで、断熱材とパネル配管（およびパネル本体）とは固定されていないため、室内機の運搬時や据付時の振動によって、断熱材が外れる場合がある。その場合、パネル配管の熱が、室内機内に放熱されてしまい、輻射パネルの暖房効果が低下するという問題が生じる。
【０００５】
そこで、本発明の目的は、配管およびパネル本体の熱が室内機の内部側に放熱するのを確実に断熱できる輻射パネルを備えた室内機を提供することである。
【課題を解決するための手段】
【０００６】
第１の発明に係る室内機は、室内熱交換器を収容すると共に、表面に設けられた輻射パネルを備えた室内機であって、前記輻射パネルが、パネル本体と、前記パネル本体の背面に設けられ、冷媒回路の一部を構成する配管と、前記パネル本体の背面側において前記配管から離れた状態で前記配管を覆うカバー部材とを有していることを特徴とする。
【０００７】
この室内機では、パネル本体の背面に配置された配管とカバー部材の間に空間が形成されており、この空間内の空気による断熱作用によって、配管からの熱がカバー部材の外側に放熱されるのを防止することができる。
【０００８】
第２の発明に係る室内機は、第１の発明において、前記パネル本体と前記カバー部材とで囲まれる空間が密閉されないように構成されていることを特徴とする。
【０００９】
この室内機では、パネル本体とカバー部材とで囲まれる空間は外部と連通しているため、空間が密閉されている場合に比べて、外部との気圧差が少ない。したがって、気圧差によってカバー部材やパネル本体が変形するのを防止できる。
【００１０】
第３の発明に係る室内機は、第２の発明において、前記カバー部材が、その外周部と前記パネル本体との間に、前記空間に連通した隙間が形成された状態で前記パネル本体に固定されることを特徴とする。
【００１１】
この室内機では、カバー部材の外周部とパネル本体との間に隙間を形成することで、パネル本体とカバー本体とで囲まれる空間が密閉されないようにできる。
また、カバー部材の外周部とパネル本体との間に隙間を形成することで、カバー部材の外周部をパネル本体と接触させた場合に比べて、カバー部材とパネル本体との熱膨張率の違いによる接触面で軋み音を低減できる。
【００１２】
第４の発明に係る室内機は、第３の発明において、前記輻射パネルの上方に配置された外周部材の下端部が、前記パネル本体の背面に対向していると共に、前記隙間内に配置されていることを特徴とする。
【００１３】
この室内機では、パネル本体の背面とカバー部材の外周部との間に形成された隙間内に、輻射パネルの上方に配置された外周部材の下端部が配置されていることによって、輻射パネルと外周部材との間の隙間の形状が複雑になり通気抵抗が大きくなるため、輻射パネルと外周部材との間から室内空気が室内機内部に吸い込まれるのを抑制できる。したがって、輻射パネルにより加熱されて上昇した室内空気が、輻射パネルと輻射パネルの上方の外周部材との間から室内機内部に吸い込まれるのを抑制できるため、暖房効率を向上させることができる。
【００１４】
第５の発明に係る室内機は、第１〜第４のいずれかの発明において、前記カバー部材が、前記パネル本体の背面に向かって突出する固定面を有しており、前記カバー部材は、前記固定面が前記パネル本体の背面に接触した状態で前記パネル本体に固定されることを特徴とする。
【００１５】
この室内機では、カバー部材は、パネル本体の背面に向かって突出する固定面においてパネル本体に接触して固定されており、固定面の周囲部はパネル本体に接触していないため、カバー部材とパネル本体との接触面積は小さい。そのため、パネル本体の熱がカバー部材に放熱されるのを抑制できる。
【００１６】
第６の発明に係る室内機は、第１〜第５のいずれかの発明において、前記室内熱交換器を収容すると共に、前記パネル本体が表面に設けられたケーシングと、前記ケーシングの下端部近傍に設けられた吸込口とを備え、前記室内熱交換器の一部が、前記カバー部材の下端部と対向しており、前記カバー部材の背面側の下端部には、前記吸込口から吸い込まれた空気を前記室内熱交換器に供給するための凹部が設けられていることを特徴とする。
【００１７】
この室内機では、カバー部材は、その下端部が室内熱交換器と対向するように配置されており、カバー部材の背面側の下端部には、吸込口から吸い込まれた空気を室内熱交換器に供給するための凹部が設けられているため、吸込口から吸い込まれた空気がカバー部材によって室内熱交換器に供給されなくなるのを防止できる。
【発明の効果】
【００１８】
以上の説明に述べたように、本発明によれば、以下の効果が得られる。
【００１９】
第１の発明では、パネル本体の背面に配置された配管とカバー部材の間に空間が形成されており、この空間内の空気による断熱作用によって、配管からの熱がカバー部材の外側に放熱されるのを防止することができる。
【００２０】
第２の発明では、パネル本体とカバー部材とで囲まれる空間は外部と連通しているため、空間が密閉されている場合に比べて、外部との気圧差が少ない。したがって、気圧差によってカバー部材やパネル本体が変形するのを防止できる。
【００２１】
第３の発明では、カバー部材の外周部とパネル本体との間に隙間を形成することで、パネル本体とカバー本体とで囲まれる空間が密閉されないようにできる。
また、カバー部材の外周部とパネル本体との間に隙間を形成することで、カバー部材の外周部をパネル本体と接触させた場合に比べて、カバー部材とパネル本体との熱膨張率の違いによる接触面で軋み音を低減できる。
【００２２】
第４の発明では、この室内機では、パネル本体の背面とカバー部材の外周部との間に形成された隙間内に、輻射パネルの上方に配置された外周部材の下端部が配置されていることによって、輻射パネルと外周部材との間の隙間の形状が複雑になり通気抵抗が大きくなるため、輻射パネルと外周部材との間から室内空気が室内機内部に吸い込まれるのを抑制できる。したがって、輻射パネルにより加熱されて上昇し
た室内空気が、輻射パネルと輻射パネルの上方の外周部材との間から室内機内部に吸い込まれるのを抑制できるため、暖房効率を向上させることができる。
【００２３】
第５の発明では、カバー部材は、パネル本体の背面に向かって突出する固定面においてパネル本体に接触して固定されており、固定面の周囲部はパネル本体に接触していないため、カバー部材とパネル本体との接触面積は小さい。そのため、パネル本体の熱がカバー部材に放熱されるのを抑制できる。
【００２４】
第６の発明では、カバー部材は、その下端部が室内熱交換器と対向するように配置されており、カバー部材の背面側の下端部には、吸込口から吸い込まれた空気を室内熱交換器に供給するための凹部が設けられているため、吸込口から吸い込まれた空気がカバー部材によって室内熱交換器に供給されなくなるのを防止できる。
【図面の簡単な説明】
【００２５】
【図１】本発明の実施形態に係る室内機を備えた空気調和機の回路図である。
【図２】本発明の実施形態に係る室内機の斜視図である。
【図３】図２のＡ-Ａ線に沿う断面図である。
【図４】図２に示す室内機の部分分解斜視図である。
【図５】図２に示す室内機の部分分解斜視図である。
【図６】（ａ）は輻射パネルの背面図であり、（ｂ）は（ａ）の上視図である。
【図７】図３の部分拡大図である。
【図８】（ａ）は輻射パネルのパネル本体の背面図であり、（ｂ）は（ａ）の上視図であり、（ｃ）は（ａ）のＢ−Ｂ線に沿う断面図である。
【図９】輻射パネルのカバー部材の斜視図である。
【図１０】輻射パネルのカバー部材の斜視図である。
【図１１】（ａ）は輻射パネルのカバー部材の背面図であり、（ｂ）は（ａ）の下視図であり、（ｃ）は（ａ）のＣ−Ｃ線に沿う切断端面図である。
【図１２】（ａ）は図１１（ａ）のＤ−Ｄ線に沿う切断端面図であり、（ｂ）は図１１（ａ）のＥ−Ｅ線に沿う断面図であり、（ｃ）は図１１（ａ）のＦ−Ｆ線に沿う断面図であり、（ｄ）は（ｃ）の矢印Ｇ方向から視た部分拡大図である。
【発明を実施するための形態】
【００２６】
以下、本発明の実施形態に係る床置き室内機１（以下、単に「室内機１」と称する）について説明する。図１に示すように、本実施形態の室内機１は、室外機８と共に空気調和機１００を構成する。
【００２７】
＜空気調和機１００の概略構成＞
まず、空気調和機１００の概略構成について説明する。
室内機１は、室内熱交換器２０と、室内熱交換器２０の近傍に配置された室内ファン２１と、輻射パネル３０と、室内電動弁２２とを備えている。室外機８は、圧縮機８１と、四路切換弁８２と、室外熱交換器８３と、室外熱交換器８３の近傍に配置された室外ファン８４と、室外電動弁８５とを備えている。
【００２８】
また、空気調和機１００は、室内機１と室外機８とを接続する冷媒回路３を備えている。
冷媒回路３は、室内熱交換器２０、圧縮機８１、室外熱交換器８３、および室外電動弁８５が順に設けられた環状の主流路４を有する。主流路４には、四路切換弁８２が設けられており、四路切換弁８２を切り換えることにより、圧縮機８１の吐出側と吸入側のいずれかが室外熱交換器８３が接続される。また、主流路４における室内熱交換器２０の両側の配管は、バイパス配管５によって接続されており、このバイパス配管５には、輻射パネル３０と室内電動弁２２が設けられている。また、主流路４における圧縮機８１の吸入側と四路切換弁８２との間には、アキュムレータ８６が介設されている。
【００２９】
室内熱交換器２０は、冷媒回路３の一部を構成する配管を有しており、室内ファン２１の風上側に配置されている。室内熱交換器２０との熱交換により加熱または冷却された空気が、室内ファン２１によって温風または冷風として室内に吹き出されることで、温風暖房または冷房が行われる。
【００３０】
輻射パネル３０は、室内機１の表面に配置されており、その背面側には、冷媒回路３の一部を構成する配管（後述するパネル配管３２）が設けられている。したがって、室内機１では、この配管を流れる冷媒の熱が、室内に輻射されることで輻射暖房が行われる。室内電動弁２２は、輻射パネル３０に供給される冷媒の流量を調整するために設けられている。
【００３１】
空気調和機１００は、冷房運転、温風暖房運転、輻射暖房運転、および輻射微風暖房運転を行うことができる。冷房運転は、輻射パネル３０に冷媒を流さないで室内熱交換器２０に冷媒を流して冷房を行う運転であって、温風暖房運転は、輻射パネル３０に冷媒を流さないで室内熱交換器２０に冷媒を流して温風暖房を行う運転である。輻射暖房運転は、室内熱交換器２０に冷媒を流して温風暖房を行うと共に、輻射パネル３０に冷媒を流して輻射暖房を行う運転である。輻射微風暖房運転は、温風暖房運転時および輻射暖房運転時よりも低風量で且つ一定の風量の温風暖房を行うと共に、輻射パネル３０に冷媒を流して輻射暖房を行う運転である。
【００３２】
各運転時における冷媒回路３の冷媒の流れについて図１を用いて説明する。
冷房運転時には、室内電動弁２２が閉弁されると共に、四路切換弁８２が図１（ａ）中破線で示す状態に切り換えられる。そのため、図１（ａ）中破線の矢印で示すように、圧縮機８１から吐出された高温高圧冷媒は、四路切換弁８２を通って、室外熱交換器８３に流入する。そして、室外熱交換器８３において凝縮した冷媒は、室外電動弁８５で減圧された後、室内熱交換器２０に流入する。そして、室内熱交換器２０において蒸発した冷媒は、四路切換弁８２およびアキュムレータ８６を介して、圧縮機８１に流入する。
【００３３】
温風暖房運転時には、室内電動弁２２が閉弁されると共に、四路切換弁８２が図１（ａ）中実線で示す状態に切り換えられる。そのため、図１（ａ）中実線の矢印で示すように、圧縮機８１から吐出された高温高圧冷媒は、四路切換弁８２を通って、室内熱交換器２０に流入する。そして、室内熱交換器２０において凝縮した冷媒は、室外電動弁８５で減圧された後、室外熱交換器８３に流入する。そして、室外熱交換器８３において蒸発した冷媒は、四路切換弁８２およびアキュムレータ８６を介して、圧縮機８１に流入する。
【００３４】
輻射暖房運転時および輻射微風暖房運転時には、室内電動弁２２が開弁されると共に、四路切換弁８２が図１（ｂ）中実線で示す状態に切り換えられる。そのため、図１（ｂ）中実線の矢印で示すように、圧縮機８１から吐出された高温高圧冷媒は、四路切換弁８２を通って、室内熱交換器２０と輻射パネル３０に流入する。そして、室内熱交換器２０と輻射パネル３０において凝縮した冷媒は、室外電動弁８５で減圧された後、室外熱交換器８３に流入する。そして、室外熱交換器８３において蒸発した冷媒は、四路切換弁８２およびアキュムレータ８６を介して、圧縮機８１に流入する。
【００３５】
＜室内機１の構成＞
次に、室内機１の構成について説明する。
図２に示すように、本実施形態の室内機１は、直方体形状を有しており、室内の床面から浮かした状態で壁面に据え付けられる。本実施形態においては、室内機１の床面からの高さＨ（図２参照）は１０ｃｍ程度である。なお、以下の説明において、室内機１が取り付けられる壁から突出する方向を「前方」と称し、その反対の方向を「後方」と称する。また、図２に示す左右方向および上下方向を単に「左右方向」、「上下方向」と称する。
【００３６】
図３に示すように、室内機１は、ケーシング１０と、ケーシング１０内に収容された室内ファン２１および室内熱交換器２０などの内部機器と、前面グリル２３とを主に備えている。ケーシング１０の前面の一部は、輻射パネル３０で構成されている。この室内機１においては、室内ファン２１の駆動により、ケーシング１０の下壁に形成された主吸込口１０ａから床面近傍にある空気を吸い込みつつ、ケーシング１０の前壁に形成された補助吸込口１０ｂ、１０ｃからも空気を吸い込む。そして、室外熱交換器８３において、吸い込んだ空気に対して加熱または冷却などを行い調和する。そして、調和後の空気をケーシング１０の上壁に形成された吹出口１０ｄから吹き出し、室内へと返流させる。
【００３７】
ケーシング１０は、本体フレーム１１（図４参照）、吹出口カバー１２（図５参照）、輻射パネル３０（図４、図５参照）、および開閉パネル１３（図５参照）を有する。図２および図３に示すように、ケーシング１０の前面は、上から順に、吹出口カバー１２の前面パネル部１２ａと、輻射パネル３０のパネル本体３１と、開閉パネル１３で構成されている。ケーシング１０の前面の左右両端部は、後方に向かって緩やかに傾斜している。
【００３８】
本体フレーム１１は、壁面に取り付けられるものであり、上述の各種内部機器を支持している。吹出口カバー１２、輻射パネル３０、および前面グリル２３は、内部機器を支持している状態の本体フレーム１１に取り付けられている。吹出口カバー１２は、本体フレーム１１の上端部に取り付けられており、その上壁に左右方向に長い矩形状の開口である吹出口１０ｄが形成されている。この吹出口カバー１２の下方に輻射パネル３０が配置されている。
【００３９】
図２および図３に示すように、開閉パネル１３は、輻射パネル３０のパネル本体３１の下方に配置されており、前面グリル２３に対して着脱可能に取り付けられている。開閉パネル１３を取り外すことにより、上部フィルタ２４および下部フィルタ２５の着脱を行うことができる。輻射パネル３０のパネル本体３１と開閉パネル１３との間には、左右方向（水平方向）に長いスリット状の開口である補助吸込口１０ｂが形成されている。開閉パネル１３の上端近傍には、左右方向に長いスリット状の開口である補助吸込口１０ｃが形成されている。また、開閉パネル１３の下端と本体フレーム１１との間には、左右方向に長い開口である主吸込口１０ａが形成されている。
【００４０】
ここで、ケーシング１０内に収容される各部材について説明する。
図３に示すように、室内ファン２１は、ケーシング１０の高さ方向中央部分のやや上方において、その軸方向が左右方向に沿うように配置されている。室内ファン２１は、クロスフローファンで構成されており、下前方から空気を吸い込んで、上後方に吹き出すようになっている。
【００４１】
図３に示すように、室内熱交換器２０は、室内ファン２１の前方と下方とを取り囲むようにＶ字状に配置された前面熱交換器２０ａと背面熱交換器２０ｂで構成されている。前面熱交換器２０ａは、ケーシング１０の前面と略平行に配置されている。前面熱交換器２０ａの上端部は、輻射パネル３０の背面に対向している。前面熱交換器２０ａの上端部以外の部分は、開閉パネル１３の背面に対向している。室内熱交換器２０の下方には、左右方向に延在するドレンパン２６が配置されている。また、図４に示すように、正面視における室内熱交換器２０の右側には、室内熱交換器２０および輻射パネル３０に冷媒を循環供給するための配管２７が配置されている。
【００４２】
図３に示すように、室内ファン２１の上方には、吹出口ユニット２８が配置されている。吹出口ユニット２８は、吹出口カバー１２で覆われており、室内ファン２１から吹き出された空気を吹出口カバー１２に形成された吹出口１０ｄへと導くものである。吹出口ユニット２８は、吹出口１０ｄの近傍に配置される水平フラップ２８ａを備えている。水平フラップ２８ａは、吹出口１０ｄから吹き出される空気流の上下方向の風向きを変更すると共に、吹出口１０ｄの開閉を行う。
【００４３】
図３に示すように、前面グリル２３は、前面熱交換器２０ａの上下方向略中央部分から、本体フレーム１１の下端までを覆うように、本体フレーム１１に取り付けられている。図５に示すように、前面グリル２３は、フィルタ保持部２３ａを有している。フィルタ保持部２３ａには、左右２枚の上部フィルタ２４と左右２枚の下部フィルタ２５が保持される。なお、上部フィルタ２４は、その下側部分だけがフィルタ保持部２３ａに保持されており、上側部分は輻射パネル３０の後述するカバー部材３３のフィルタ誘導保持部６０ａ、６１ａ、６１ｂ、６２ａに保持される。
【００４４】
図３に示すように、上部フィルタ２４は、前面熱交換器２０ａの上端とほぼ同じ高さから、前面熱交換器２０ａの上方向略中央部分まで延在している。下部フィルタ２５は、前面熱交換器２０ａの上下方向略中央部分から下方に延在していると共に、その下端部が後斜め方向に傾斜している。下部フィルタ２５の下端は、主吸込口１０ａの後端近傍に位置している。
【００４５】
＜輻射パネル３０の構成＞
次に、輻射パネル３０の構成について図６〜図１２を参照して説明する。
図６および図７に示すように、輻射パネル３０は、ケーシング１０の前面に設けられるパネル本体３１と、パネル本体３１の背面に配置されるパネル配管３２、カバー部材３３および配管固定部材３４と、パネル本体３１の左右両端部に配置されるサイドパネル３５および取付部材３６とを備えている。なお、図６〜図１２中に示す上下方向、左右方向および前後方向は、輻射パネル３０を備えた室内機１が壁面に据え付けられた状態での各方向を示している。以下、図６〜図１２中に示す方向を使って、輻射パネル３０について説明する。
【００４６】
パネル配管３２は、冷媒回路３の一部を構成する配管である。パネル配管３２は、その両端部以外の部分が、パネル本体３１の背面に対向して配置されている。パネル配管３２の両端部は、パネル本体３１の正面視右側端部の下方に位置しており、室内熱交換器２０の右側に配置された配管２７（図４参照）に接続されている。また、図８に示すように、パネル配管３２におけるパネル本体３１の背面と対向する部分は、正面視右側が開放された略Ｕ字の形状を有している。すなわち、左右方向に延在する直線部分が上下に２つ配置されており、これら直線部分３２ａの左側端部同士が接続されて、略Ｕ字の形状をなしている。
【００４７】
パネル本体３１は、アルミニウム等の熱伝導性の高い材料で形成されている。図８に示すように、パネル本体３１は、左右方向に長い略矩形板状の部材であって、その左右両端部は、後方に向かって緩やかに傾斜している。パネル本体３１の背面には、左右方向に延在する２つの突起４０が形成されている。上述のパネル配管３２の直線部分３２ａは、突起４０に埋設されている。より詳細には、パネル配管３２の直線部分３２ａは、その表面の半分以上は突起４０によって被覆されており、パネル本体３１側とは反対側の部分が露出している。このように、パネル配管３２の直線部分３２ａの表面のほとんどが、パネル本体３１に形成された突起４０で覆われているので、パネル配管３２内を流れる冷媒の熱をパネル本体３１に効率良く伝えることができる。図８（ｂ）に示すように、パネル配管３２は、直線部分３２ａにおいてのみパネル本体３１の背面と接触しており、直線部分３２ａ以外の部分においてはパネル本体３１の背面から離隔している。
【００４８】
また、パネル本体３１の背面には、２つの突起４０の上下両側において左右方向に延在する２つの固定部４１、４２が形成されている。固定部４１、４２は、パネル本体３１の背面から突出していると共にその先端が突起４０側に向かって折り曲げられている。この折り曲げられた部分は、パネル本体３１の背面と略平行であり、カバー部材３３をネジ止めするためのネジ孔４１ａ、４２ａが複数形成されている。
【００４９】
図６に示すように、配管固定部材３４は、パネル配管３２の両端近傍部をパネル本体３１に固定するために設けられている。配管固定部材３４は、パネル配管３２の両端近傍部が貫通する配管保持部３４ａを有しており、この配管保持部３４ａは、ゴム材料で形成されている。そのため、パネル配管３２と配管２７との接続時に、パネル配管３２の若干の移動が可能であるため、パネル配管３２を傷つけることなく、容易に接続作業を行うことができる。また、室外機８または室内機１の振動が配管２７を伝ってきた場合に、配管保持部３４ａで振動を吸収することができる。
【００５０】
図６に示すように、サイドパネル３５および取付部材３６は、パネル本体３１の背面の左右両端部に取り付けられている。サイドパネル３５は、ケーシング１０の左右側面の一部を構成する。取付部材３６は、輻射パネル３０を本体フレーム１１にネジ止めするために設けられている。
【００５１】
図７に示すように、カバー部材３３は、パネル本体３１の背面側においてパネル配管３２から離れた状態でパネル配管３２を覆うようにパネル本体３１の固定部４１、４２に取り付けられている。したがって、パネル配管３２の直線部分３２ａは、パネル本体３１とカバー部材３３との間に形成された空間４５内に配置される。この空間４５内の空気による断熱作用により、パネル配管３２の熱がカバー部材３３の外側の空間に放熱するのを防止できる。カバー部材３３は、合成樹脂材料で形成されている。図９および図１０に示すように、カバー部材３３は、略矩形板状の平板部５０と、平板部５０の背面から突出する３つの壁部６０〜６２および２つの突出部６３、６４を有する。
【００５２】
図７に示すように、平板部５０は、パネル本体３１と平行に配置されており、パネル本体３１の背面の２つの突起４０に対向する。突起４０に保持されたパネル配管３２の直線部分３２ａと平板部５０との離間距離は、自然対流が起こらない程度の大きさであることが好ましい。これにより、パネル配管３２の直線部分３２ａと平板部５０との間の空間の断熱性を向上させることができる。本実施形態では、上記離間距離は約１５ｍｍであるが、この数値に限定されるものではない。
【００５３】
図９および図１０に示すように、壁部６０〜６２は、左右方向に並んで設けられおり、それぞれ上下方向に延在している。詳細には、壁部６０〜６２は、平板部５０の上下方向略中央部より若干上方の位置から、平板部５０の下端まで延在している。また、図１１（ａ）および図１２（ｃ）に示すように、中央の壁部６１の下端部には、平板部５０の下端よりも下方に突出する前面グリル取付部６１ｃが形成されている。図１２（ｃ）に示すように、前面グリル取付部６１ｃの前面には、前面グリル２３をネジ止めするためのネジ孔６１ｄが形成されている。また、図５に示すように、前面グリル２３は、ネジ孔６１ｄに対応する位置に貫通孔２３ｂを有している。
【００５４】
図９および図１０に示すように、突出部６３は、壁部６０と壁部６１との間に設けられており、左右方向に延在している。突出部６４は、壁部６１と壁部６２との間に設けられており、左右方向に延在している。突出部６３、６４の突出面６３ａ、６４ａは、平板部５０と略平行に形成されている。また、図１２（ｂ）および図７に示すように、突出部６３、６４は中空状に形成されている。したがって、パネル本体３１の背面と突出部６３、６４の突出面６３ａ、６４ａとの離間距離は、パネル本体３１の背面と平板部５０との離間距離よりも大きい。また、図７に示すように、突出部６３、６４の上端は、パネル本体３１の上側の突起４０の下端とほぼ同じ高さに位置している。また、突出部６３、６４の下端は、前面熱交換器２０ａの上端とほぼ同じ高さに位置している。
【００５５】
突出部６３、６４を設けることにより、カバー部材が平坦な板状の場合に比べて、カバー部材３３の強度を高くすることができる。また、突出部６３、６４の上下方向高さは比較的短いため、突出部６３、６４とパネル本体３１の背面との間では自然対流は発生しにくい。そのため、カバー部材３３とパネル本体３１との間の空間４５内の断熱性が、自然対流によって低減するのを抑制できる。
【００５６】
図９、図１１（ａ）および図１２（ａ）等に示すように、平板部５０の上端近傍部には、パネル本体３１の背面に向かって突出する固定面５１が、左右方向に並んで複数形成されている。固定面５１には、パネル本体３１の固定部４１にネジ止めするためのネジ孔５１ａが形成されている。固定面５１は、固定部４１に接触した状態で固定部４１に固定される。また、隣接する固定面５１の間には、パネル本体３１の背面に向かって突出する当接面５２が形成されている。固定面５１を固定部４１に固定した状態では、平板部５０の上端近傍のうち固定面５１と当接面５２だけが固定部４１に接触しており（図示省略）、固定面５１と当接面５２以外の部分は、固定部４１から離間している（図７参照）。
【００５７】
また、図９および図１１（ａ）等に示すように、平板部５０の下端近傍部には、パネル本体３１の背面に向かって突出する複数の固定面５３が、左右方向に並んで複数形成されている。また、正面視右端の固定面５３の右側には、パネル本体３１の背面に向かって突出する固定面５４が形成されている。固定面５３、５４には、パネル本体３１の固定部４２にネジ止めするためのネジ孔５３ａ、５４ａが形成されている。固定面５３、５４は、固定部４２に接触した状態で固定部４２に固定される。固定面５４は、配管固定部材３４と一緒にパネル本体３１の固定部４２に取り付けられる。また、隣接する固定面５３の間には、パネル本体３１の背面に向かって突出する当接面５５が形成されている。固定面５３、５４を固定部４２に固定した状態では、平板部５０の下端近傍のうち固定面５３、５４と当接面５５だけが固定部４２に接触しており（図７参照）、固定面５３、５４と当接面５５以外の部分は、固定部４２から離間している（図示省略）。
【００５８】
また、図７および図９等に示すように、平板部５０の下端部のうち、壁部６０と壁部６２との間の部分は、下方に向かうほどパネル本体３１に近付くように傾斜している。この部分を傾斜面５６とする。図７に示すように、傾斜面５６の下方には、補助吸込口１０ｂが設けられており、傾斜面５６が傾斜していることで、補助吸込口１０ｂから室内空気を吸い込みやすくなっている。
【００５９】
図７に示すように、カバー部材３３の傾斜面５６の下端と、パネル本体３１の背面との間には、隙間４６が形成されている。つまり、カバー部材３３は、その下端とパネル本体３１との間に、空間４５に連通した隙間４６が形成された状態で、パネル本体３１に固定されている。そのため、パネル本体３１とカバー部材３３とで囲まれる空間４５は密閉されていない。
【００６０】
また、傾斜面５６の下端とパネル本体３１との隙間４６の大きさは、補助吸込口１０ｂから吸い込まれた空気がほとんど流入しないような大きさに設定されている。本実施形態では、隙間４６の大きさは約０．５ｍｍであるが、この数値に限定されるものではない。仮に、傾斜面５６の下端とパネル本体３１とを接触させた場合、カバー部材３３とパネル本体３１との熱膨張率の違いにより、接触面で軋み生じて音が発生する場合があるが、本実施形態では、カバー部材３３とパネル本体３１との間に隙間４６を設けているため、軋み音の発生を防止できる。
【００６１】
また、図７等に示すように、平板部５０の上端には、パネル本体３１側（前方）に向かって突出する上壁部５７が設けられている。この上壁部５７とパネル本体３１の背面との間には、隙間４７が形成されている。そして、この隙間４７には、吹出口カバー（外周部材）１２の下端に設けられた挿入部１２ｂが挿入されている。挿入部１２ｂの前面には、前方に向かって突出するリブ部１２ｃが左右方向に並んで複数形成されている。リブ部１２ｃは、パネル本体３１の背面に接触していても接触していなくてもよい。また、挿入部１２ｂの後面には、後方に向かって突出するリブ部１２ｄが左右方向に並んで複数形成されている。リブ部１２ｄは、カバー部材３３の上壁部５７に接触していても接触していなくてもよい。
【００６２】
挿入部１２ｂは、たとえリブ部１２ｃ、１２ｄがパネル本体３１およびカバー部材３３に接触していても、リブ部１２ｃ、１２ｄ以外の部分において、パネル本体３１およびカバー部材３３に接触していないため、空間４５は隙間４７を介して外部と連通する。したがって、カバー部材３３は、その上端とパネル本体３１との間に、空間４５に連通した隙間４７が形成された状態で、パネル本体３１に固定されている。
【００６３】
また、仮に、吹出口カバー１２が挿入部１２ｂを有さず、隙間４７に挿入部１２ｂが挿入されていない場合、吹出口カバー１２の下端と輻射パネル３０の上端との隙間から室内空気が吸い込まれやすいが、本実施形態では、隙間４７に挿入部１２ｂが挿入されていることで、吹出口カバー１２の下端と輻射パネル３０の上端との隙間の形状が複雑になり通気抵抗が大きくなるため、吹出口カバー１２の下端と輻射パネル３０の上端との隙間から室内空気が吸い込まれるのを抑制できる。また、挿入部１２ｂにリブ部１２ｃ、１２ｄを設けることで、吹出口カバー１２の下端と輻射パネル３０の上端との隙間の幅を安定化でき、左右方向に関して均一な通気抵抗を維持できる。
【００６４】
また、リブ部１２ｃ、１２ｄが、パネル本体３１とカバー部材３３に接触していない場合、軋み音の発生を防止できる。また、たとえリブ部１２ｃ、１２ｄが、パネル本体３１とカバー部材３３に接触していても、接触面積が小さいため、接触面での軋み音を低減できる。
【００６５】
また、図７に示すように、カバー部材３３の背面の上側略半分は、吹出口ユニット２８と対向している。カバー部材３３の背面と、吹出口ユニット２８との離間距離は、比較的狭くなっているため、吹出口カバー１２の下端とカバー部材３３の上端との隙間から室内空気が吸い込まれるのを抑制できる。
【００６６】
図９および図１０に示すように、壁部６０と壁部６１の対向する面には、正面視右側の上部フィルタ２４（図９および図１０中二点鎖線で表示）の上側部分を誘導および保持する一対のフィルタ誘導保持部６０ａ、６１ａが形成されている。壁部６１と壁部６２の対向する面には、正面視左側の上部フィルタ２４の上側部分を誘導および保持する一対のフィルタ誘導保持部６１ｂ、６２ａが形成されている。一対のフィルタ誘導保持部６０ａ、６１ａと一対のフィルタ誘導保持部６１ｂ、６２ａとは左右対称に形成されている。
【００６７】
図９および図１２（ｂ）に示すように、フィルタ誘導保持部６０ａは、壁部６０の壁部６１に対向する面に形成されており、壁部６１側に向かって突出する２つのガイド部７０、７１と、突出部６３の突出面６３ａの一部で構成されている。ガイド部７０は、壁部６０の端部に形成されており、上下方向に延在している。ガイド部７１は、ガイド部７０よりもパネル本体３１側（前方）に設けられている。ガイド部７１は、突出部６３の突出面６３ａの下端から下方に延在する直線部分７１ａと、直線部分７１ａの下端から傾斜面５６の上端まで延在する傾斜部分７１ｂとを有している。傾斜部分７１ｂは、傾斜面５６と同じ角度で傾斜している。
【００６８】
図７および図１０に示すように、フィルタ誘導保持部６１ａは、壁部６１の壁部６０に対向する面に形成されており、壁部６０側に向かって突出する２つのガイド部７２、７３と、突出部６３の突出面６３ａの一部で構成されている。ガイド部７２は、壁部６１の端部付近に形成されており、上下方向に延在している。ガイド部７３は、ガイド部７１と左右対称に形成されており、ガイド部７１と同様に、直線部分７３ａと傾斜部分７３ｂとを有する。
【００６９】
正面視右側の上部フィルタ２４は、正面視右端部が、ガイド部７０の上側略半分と、突出部６３の突出面６３ａの正面視右端部およびガイド部７１の直線部分７１ａとの間に保持されると共に、正面視左端部が、ガイド部７２の上側略半分と、突出部６３の突出面６３ａの正面視左端部およびガイド部７３の直線部分７３ａとの間に保持される。また、ガイド部７０、７２の下側略半分と、ガイド部７１、７３の傾斜部分７１ｂ、７３ｂは、開閉パネル１３を外した状態で上部フィルタ２４を取り付ける際に、上部フィルタ２４をフィルタ誘導保持部６０ａ、６１ａにスムーズに誘導すると共に、上部フィルタ２４を間違った位置に挿入するのを防止する役割を果たす。
【００７０】
フィルタ誘導保持部６１ｂは、フィルタ誘導保持部６１ａと左右対称に形成されており、２つのガイド部７４、７５を有する。ガイド部７５は、直線部分７５ａと傾斜部分７５ｂとを有する。フィルタ誘導保持部６２ａは、フィルタ誘導保持部６０ａと左右対称に形成されており、２つのガイド部７６、７７を有する。ガイド部７７は、直線部分７７ａと傾斜部分７７ｂとを有する。
【００７１】
図７に示すように、突出部６３、６４の突出面６３ａ、６４ａは、吹出口ユニット２８と対向しており、平板部５０のうち突出部６３、６４よりも下方の部分は、前面熱交換器２０ａの上端部と対向している。平板部５０と前面熱交換器２０ａの上端部との離間距離は、比較的大きく、主吸込口１０ａおよび補助吸込口１０ｂ、１０ｃから吸い込まれた空気が前面熱交換器２０ａに供給されるのを妨げないようになっている。カバー部材３３は、平板部５０と平板部５０の背面の上下方向略中央部から突出する突出部６３、６４とを有するものであるが、面６３ａ、６４ａの上下両側が凹んだ形状であるともいえる。面６３ａ、６４ａの下方の凹部６５によって、主吸込口１０ａおよび補助吸込口１０ｂ、１０ｃから吸い込まれた空気を前面熱交換器２０ａに供給できるようになっている。
【００７２】
＜本実施形態の室内機１の特徴＞
本実施形態の室内機１では、パネル本体３１の背面に配置されたパネル配管３２とカバー部材３３の間に空間４５が形成されており、この空間４５内の空気による断熱作用によって、パネル配管３２からの熱がカバー部材３３の外側に放熱されるのを防止することができる。
【００７３】
また、本実施形態では、パネル本体３１とカバー部材３３とで囲まれる空間４５は、外部と連通しているため、空間４５が密閉されている場合に比べて、外部との気圧差が少ない。したがって、気圧差によってカバー部材３３やパネル本体３１が変形するのを防止できる。
【００７４】
また、本実施形態では、カバー部材３３の上端および下端とパネル本体３１との間に隙間４６、４７を形成することで、パネル本体３１とカバー本体とで囲まれる空間４５が密閉されないようにできる。
また、カバー部材３３の上端および下端とパネル本体３１との間に隙間４６、４７を形成することで、カバー部材３３の外周部をパネル本体３１と接触させた場合に比べて、カバー部材３３とパネル本体３１との熱膨張率の違いによる接触面で軋み音を低減できる。
【００７５】
また、本実施形態では、カバー部材３３の外周部とパネル本体３１との間に形成された隙間４７内に、吹出口カバー１２の挿入部１２ｂが挿入されているため、輻射パネル３０と吹出口カバー１２との間から、室内空気が吸い込まれるのを抑制できる。パネル本体３１の背面とカバー部材３３の外周部との間に形成された隙間４７内に、輻射パネル３０の上方に配置された吹出口カバー１２の挿入部１２ｂが配置されていることによって、輻射パネル３０と吹出口カバー１２との間の隙間の形状が複雑になり通気抵抗が大きくなるため、輻射パネル３０と吹出口カバー１２との間から室内空気が室内機１内部に吸い込まれるのを抑制できる。したがって、輻射パネル３０により加熱されて上昇した室内空気が、輻射パネル３０と吹出口カバー１２との間から室内機１内部に吸い込まれるのを抑制できるため、暖房効率を向上させることができる。
【００７６】
また、本実施形態では、カバー部材３３は、パネル本体３１の背面に向かって突出する固定面５１、５３、５４においてパネル本体３１に接触して固定されており、固定面５１、５３、５４の周囲部はパネル本体３１に接触していないため、カバー部材３３とパネル本体３１との接触面積は小さい。そのため、パネル本体３１の熱がカバー部材３３に放熱されるのを抑制できる。
【００７７】
また、本実施形態では、カバー部材３３は、下側略半分が、前面熱交換器２０ａと対向するように配置されており、カバー部材３３の背面側の下側略半分には、主吸込口１０ａおよび補助吸込口１０ｂ、１０ｃから吸い込まれた空気を前面熱交換器２０ａに供給するための凹部６５が設けられているため、主吸込口１０ａおよび補助吸込口１０ｂ、１０ｃから吸い込まれた空気がカバー部材３３によって前面熱交換器２０ａに供給されなくなるのを防止できる。
【００７８】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００７９】
例えば、上記実施形態では、輻射パネル３０のカバー部材３３は、パネル本体３１の固定部４１、４２に固定する部分（５１、５３、５４）が、パネル本体３１の背面に向かって突出しているが、必ずしも突出していなくてよい。つまり、平板部５０の上端近傍部または下端近傍部が、固定部４１または固定部４２の全面に接触した状態で固定されてもよい。
【００８０】
上記実施形態では、カバー部材３３の上端とパネル本体３１の背面との隙間４７に、輻射パネル３０の上方に配置される部材である吹出口ユニット２８の一部（挿入部１２ｂ）が挿入されているが、隙間４７に何も挿入されていなくてもよい。
【００８１】
上記実施形態では、輻射パネル３０のカバー部材３３は、フィルタ誘導保持部６０ａ、６１ａ、６１ｂ、６２ａを有しているが、室内機１の構成によっては、フィルタ誘導保持部を有していなくてもよい。この場合、カバー部材３３は、突出部６３、６４および壁部６０〜６２を有していなくてもよい。
【００８２】
上記実施形態では、輻射パネル３０は、室内熱交換器２０（前面熱交換器２０ａ）の上端部と対向するように配置されているが、この構成に限定されない。例えば、室内熱交換器２０の上端よりも上方に輻射パネル３０が配置されていてもよい。
【００８３】
上記実施形態では、室内機１の主に下部から室内空気を吸い込んで、室内機１の上部から吹き出すように構成されているが、室内機の上部から吸い込んで下部から吹き出すように構成されていてもよい。
【００８４】
上記実施形態では、床面近傍に設置される床置き室内機に本発明を適用した例を挙げて説明したが、壁掛け室内機に本発明を適用してもよい。
【産業上の利用可能性】
【００８５】
本発明を利用すれば、配管およびパネル本体の熱が室内機の内部側に放熱するのを確実に断熱できる。
【符号の説明】
【００８６】
１  室内機
３  冷媒回路
１０  ケーシング
１０ａ  主吸込口（吸込口）
１０ｂ、１０ｃ  補助吸込口
１２  吹出口カバー（外周部材）
２０  室内熱交換器
２１  室内ファン
３０  輻射パネル
３１  パネル本体
３２  パネル配管（配管）
３３  カバー部材
５１、５３、５４  固定面
【図１】
2012102893.tif 000003
【図２】
2012102893.tif 000004
【図３】
2012102893.tif 000005
【図４】
2012102893.tif 000006
【図５】
2012102893.tif 000007
【図６】
2012102893.tif 000008
【図７】
2012102893.tif 000009
【図８】
2012102893.tif 000010
【図９】
2012102893.tif 000011
【図１０】
2012102893.tif 000012
【図１１】
2012102893.tif 000013
【図１２】
2012102893.tif 000014